【手続補正書】
【提出日】平成17年11月1日(2005.11.1)
【手続補正１】
【補正対象書類名】明細書
【補正対象項目名】特許請求の範囲
【補正方法】変更
【補正の内容】
【特許請求の範囲】
【請求項１】 送信側としても受信側としても働く超音波送受波器を少なくとも１対設け、流体の流れの中を上流から下流の順方向及び下流から上流の逆方向に超音波の送受信を行い、その各方向の到達時間より流量を求める超音波流量計で、かつ、各方向毎に先ず一方の送受波器を送信側として送信し、他方の受信側送受波器の信号を入力とする受信波検知部が受信波を検知すると再び送信側送受波器を駆動して送信し、これを複数回繰り返すように構成し、各方向毎に第１回目の送信から複数回目の受信までの時間を測定し、その結果から到達時間を求める超音波流量計において、
前記受信波検知部は、電圧が異なる２つの基準電圧を１グループとする基準電圧グループが複数用意されていて、そのうちの１グループを選択して使用するようにして、
各方向毎に繰り返す超音波の送受信において、
最初の受信は、上記選択した基準電圧グループの２つの基準電圧のうち一方の基準電圧に対し最初にその電圧を越えた波のゼロクロスポイントを受信波検知ポイントとし、
次の２回目の受信は、上記選択した基準電圧グループの２つの基準電圧のうち他方の基準電圧に対し最初にその電圧を越えた波のゼロクロスポイントを受信波検知ポイントとし、
最初の送信から受信までの時間と、次の２回目の送信から受信までの時間の差が一定以下の時にねらった波を捉えたとし、
その後は、前回の送信から受信検知までの時間から一定時間を減じた時間がその回の送信から経った時以降の最初のゼロクロスポイントを受信波検知ポイントとし、
最初の送信、最初の受信時に行う２回目の送信、或いは２回目の受信時に行う３回目の送信を第１回目の送信とみなすようにしたもので、
前記最初の送信から受信までの時間と、２回目の送信から受信までの時間の差が一定以上の時はねらった波を捉えられなかったとして送受信を中断し、一定時間後選択する基準電圧グループを変え最初から送受信をやり直すようにした超音波流量計。
【請求項２】送信側としても受信側としても働く超音波送受波器を少なくとも１対設け、流体の流れの中を上流から下流の順方向及び下流から上流の逆方向に超音波の送受信を行い、その各方向の到達時間より流量を求める超音波流量計で、かつ、各方向毎に先ず一方の送受波器を送信側として送信し、他方の受信側送受波器の信号を入力とする受信波検知部が受信波を検知すると再び送信側送受波器を駆動して送信し、これを複数回繰り返すように構成し、各方向毎に第１回目の送信から複数回目の受信までの時間を測定し、その結果から到達時間を求める超音波流量計において、
前記受信波検知部は、電圧が異なる２つの基準電圧を１グループとする基準電圧グループが複数用意されていて、そのうちの１グループを選択して使用するようにして、
各方向毎に繰り返す超音波の送受信において、
最初の受信は、上記選択した基準電圧グループの２つの基準電圧のうち一方の基準電圧に対し最初にその電圧を越えた波のゼロクロスポイントを受信波検知ポイントとし、
次の２回目の受信は、上記選択した基準電圧グループの２つの基準電圧のうち他方の基準電圧に対し最初にその電圧を越えた波のゼロクロスポイントを受信波検知ポイントとし、
最初の送信から受信までの時間と、次の２回目の送信から受信までの時間の差が一定以下の時にねらった波を捉えたとし、
その後は、前回の送信から受信検知までの時間から一定時間を減じた時間がその回の送信から経った時以降の最初のゼロクロスポイントを受信波検知ポイントとし、
最初の送信、最初の受信時に行う２回目の送信、或いは２回目の受信時に行う３回目の送信を第１回目の送信とみなすようにしたもので、
前記最初の送信から受信までの時間と、次の送信から受信までの時間の差が一定以上の時はねらった波を捉えられなかったとして選択する基準電圧グループを変え、前記３回目の送信を最初の送信としてやり直すようにした超音波流量計。
【請求項３】送信側としても受信側としても働く超音波送受波器を少なくとも１対設け、流体の流れの中を上流から下流の順方向及び下流から上流の逆方向に超音波の送受信を行い、その各方向の到達時間より流量を求める超音波流量計で、かつ、各方向毎に先ず一方の送受波器を送信側として送信し、他方の受信側送受波器の信号を入力とする受信波検知部が受信波を検知すると再び送信側送受波器を駆動して送信し、これを複数回繰り返すように構成し、各方向毎に第１回目の送信から複数回目の受信までの時間を測定し、その結果から到達時間を求める超音波流量計において、
前記受信波検知部は、電圧が異なる３つの基準電圧として電圧の低い方より第１〜第３基準電圧を１グループとする基準電圧グループが複数用意されていて、そのうちの１グループを選択して使用するようにして、
各方向毎に繰り返す超音波の送受信において、
最初の受信は、選択した基準電圧グループの第１基準電圧に対し最初にその電圧を越えた波のゼロクロスポイントを受信波検知ポイントとし、
次の２回目の受信は、上記選択した基準電圧グループの第２基準電圧或いは第３基準電圧に対し最初にその電圧を越えた波のゼロクロスポイントを受信波検知ポイントとし、
その次の３回目の受信は、第２の受信が、第２基準電圧の時は第３基準電圧、第３基準電圧の時は第２基準電圧に対し最初にその電圧を越えた波のゼロクロスポイントを受信波検知ポイントとし、
最初の送信から受信までの時間と、２回目の送信から受信までの時間の差が一定以上で、２回目の送信から受信までの時間と３回目の送信から受信までの時間の差が一定以下の時、前記３回目の受信はねらった波を捉えたとし、
その後は、前回の送信から受信検知までの時間から一定時間を減じた時間がその回の送信から経った時以降の最初のゼロクロスポイントを受信波検知ポイントとし、
最初の受信時に行う２回目の送信、２回目の受信時に行う３回目の送信或いは３回目の受信時に行う４回目の送信を第１回目の送信とみなすようにしたもので、
前記最初の送信から受信までの時間と、２回目の送信から受信までの時間の差が一定以下か、２回目の送信から受信までの時間と３回目の送信から受信までの時間の差が一定以上の時は、ねらった波を捉えられなかったとして送受信を中断し、一定時間後選択する基準電圧グループを変え最初からの送受信をやり直すようにした超音波流量計。
【請求項４】送信側としても受信側としても働く超音波送受波器を少なくとも１対設け、流体の流れの中を上流から下流の順方向及び下流から上流の逆方向に超音波の送受信を行い、その各方向の到達時間より流量を求める超音波流量計で、かつ、各方向毎に先ず一方の送受波器を送信側として送信し、他方の受信側送受波器の信号を入力とする受信波検知部が受信波を検知すると再び送信側送受波器を駆動して送信し、これを複数回繰り返すように構成し、各方向毎に第１回目の送信から複数回目の受信までの時間を測定し、その結果から到達時間を求める超音波流量計において、
前記受信波検知部は、電圧が異なる３つの基準電圧として電圧の低い方より第１〜第３基準電圧を１グループとする基準電圧グループが複数用意されていて、そのうちの１グループを選択して使用するようにして、
各方向毎に繰り返す超音波の送受信において、
最初の受信は、選択した基準電圧グループの第１基準電圧に対し最初にその電圧を越えた波のゼロクロスポイントを受信波検知ポイントとし、
次の２回目の受信は、上記選択した基準電圧グループの第２基準電圧或いは第３基準電圧に対し最初にその電圧を越えた波のゼロクロスポイントを受信波検知ポイントとし、
その次の３回目の受信は、第２の受信が、第２基準電圧の時は第３基準電圧、第３基準電圧の時は第２基準電圧に対し最初にその電圧を越えた波のゼロクロスポイントを受信波検知ポイントとし、
最初の送信から受信までの時間と、２回目の送信から受信までの時間の差が一定以上で、２回目の送信から受信までの時間と３回目の送信から受信までの時間の差が一定以下の時、前記３回目の受信はねらった波を捉えたとし、
その後は、前回の送信から受信検知までの時間から一定時間を減じた時間がその回の送信から経った時以降の最初のゼロクロスポイントを受信波検知ポイントとし、
最初の受信時に行う２回目の送信、２回目の受信時に行う３回目の送信或いは３回目の受信時に行う４回目の送信を第１回目の送信とみなすようにしたもので、
前記最初の送信から受信までの時間と、２回目の送信から受信までの時間の差が一定以下か、２回目の送信から受信までの時間と３回目の送信から受信までの時間の差が一定以上の時は、ねらった波を捉えられなかったとして選択する基準電圧グループを変え、ねらった波を捉えられなかったとした受信時に行う送信を最初の送信としてやり直すようにした超音波流量計。
【請求項５】送信側としても受信側としても働く超音波送受波器を少なくとも１対設け、流体の流れの中を上流から下流の順方向及び下流から上流の逆方向に超音波の送受信を行い、その各方向の到達時間より流量を求める超音波流量計で、かつ、各方向毎に先ず一方の送受波器を送信側として送信し、他方の受信側送受波器の信号を入力とする受信波検知部が受信波を検知すると再び送信側送受波器を駆動して送信し、これを複数回繰り返すように構成し、各方向毎に第１回目の送信から複数回目の受信までの時間を測定し、その結果から到達時間を求める超音波流量計において、
前記受信波検知部は、電圧が異なる３つの基準電圧を１グループとする基準電圧グループが複数用意されていて、そのうちの１グループを選択して使用するようにして、
各方向毎に繰り返す超音波の送受信において、
最初の受信は、上記選択した基準電圧グループの３つの基準電圧のうち最も低い電圧或いは最も高い電圧の基準電圧に対し最初にその電圧を越えた波のゼロクロスポイントを受信波検知ポイントとし、
次の受信は、上記選択した基準電圧グループの３つの基準電圧のうち最初の受信が最も高い電圧の基準電圧だった時は最も低い電圧の基準電圧、最初の受信が最も低い電圧の基準電圧だった時は最も高い電圧の基準電圧に対し最初にその電圧を越えた波のゼロクロスポイントを受信波検知ポイントとし、
最初の送信から受信までの時間と、次の２回目の送信から受信までの時間の差が一定以下の時はねらった波を捉えたとし、
その後は、上記選択した基準電圧グループの中間の電圧の基準電圧を最初に越える波のゼロクロスポイントを受信波検知ポイントとし、
最初の送信、最初の受信時に行う２回目の送信、或いは２回目の受信時に行う３回目の送信を第１回目の送信とみなすようにしたもので、
前記最初の送信から受信までの時間と、２回目の送信から受信までの時間の差が一定以上の時は、ねらった波を捉えられなかったとして送受信を中断し、一定時間後選択する基準電圧グループを変えて最初から送受信をやり直すようにした超音波流量計。
【請求項６】送信側としても受信側としても働く超音波送受波器を少なくとも１対設け、流体の流れの中を上流から下流の順方向及び下流から上流の逆方向に超音波の送受信を行い、その各方向の到達時間より流量を求める超音波流量計で、かつ、各方向毎に先ず一方の送受波器を送信側として送信し、他方の受信側送受波器の信号を入力とする受信波検知部が受信波を検知すると再び送信側送受波器を駆動して送信し、これを複数回繰り返すように構成し、各方向毎に第１回目の送信から複数回目の受信までの時間を測定し、その結果から到達時間を求める超音波流量計において、
前記受信波検知部は、電圧が異なる３つの基準電圧を１グループとする基準電圧グループが複数用意されていて、そのうちの１グループを選択して使用するようにして、
各方向毎に繰り返す超音波の送受信において、
最初の受信は、上記選択した基準電圧グループの３つの基準電圧のうち最も低い電圧或いは最も高い電圧の基準電圧に対し最初にその電圧を越えた波のゼロクロスポイントを受信波検知ポイントとし、
次の受信は、上記選択した基準電圧グループの３つの基準電圧のうち最初の受信が最も高い電圧の基準電圧だった時は最も低い電圧の基準電圧、最初の受信が最も低い電圧の基準電圧だった時は最も高い電圧の基準電圧に対し最初にその電圧を越えた波のゼロクロスポイントを受信波検知ポイントとし、
最初の送信から受信までの時間と、次の２回目の送信から受信までの時間の差が一定以下の時はねらった波を捉えたとし、
その後は上記選択した基準電圧グループの中間の電圧の基準電圧を最初に越える波のゼロクロスポイントを受信波検知ポイントとし、
最初の送信、最初の受信時に行う２回目の送信、或いは２回目の受信時に行う３回目の送信を第１回目の送信とみなすようにしたもので、
前記最初の送信から受信までの時間と、次の送信から受信までの時間の差が一定以上の時は、ねらった波を捉えられなかったとして選択する基準電圧グループを変え、前記３回目の送信を最初の送信としてやり直すようにした超音波流量計。
【請求項７】送信側としても受信側としても働く超音波送受波器を少なくとも１対設け、流体の流れの中を上流から下流の順方向及び下流から上流の逆方向に超音波の送受信を行い、その各方向の到達時間より流量を求める超音波流量計で、かつ、各方向毎に先ず一方の送受波器を送信側として送信し、他方の受信側送受波器の信号を入力とする受信波検知部が受信波を検知すると再び送信側送受波器を駆動して送信し、これを複数回繰り返すように構成し、各方向毎に第１回目の送信から複数回目の受信までの時間を測定し、その結果から到達時間を求める超音波流量計において、
前記受信波検知部は、電圧が異なる４つの基準電圧として電圧の低い方より第１〜第４基準電圧を１グループとする基準電圧グループが複数用意されていて、そのうちの１グループを選択して使用するようにして、
各方向毎に繰り返す超音波の送受信において、
最初の受信は、上記選択した基準電圧グループの第１基準電圧に対し最初にその電圧を越えた波のゼロクロスポイントを受信波検知ポイントとし、
次の２回目の受信は、上記選択した基準電圧グループの第２基準電圧或いは第４基準電圧に対し最初にその電圧を越えた波のゼロクロスポイントを受信波検知ポイントとし、
その次の３回目の受信は、２回目の受信が、第２基準電圧の時は第４基準電圧、第４基準電圧の時は第２基準電圧に対し最初にその電圧を越えた波のゼロクロスポイントを受信波検知ポイントとし、
最初の送信から受信までの時間と、２回目の送信から受信までの時間の差が一定以上で、２回目の送信から受信までの時間と３回目の送信から受信までの時間の差が一定以下の時は、前記２回目、３回目の受信はねらった波を捉えたとし、
その後は、上記選択した基準電圧グループの第３基準電圧を最初に越える波のゼロクロスポイントを受信波検知ポイントとし、
２回目の送信、２回目の受信時に行う３回目の送信、或いは３回目の受信時に行う４回目の送信を第１回目の送信とみなすようにしたもので、
前記最初の送信から受信までの時間と、２回目の送信から受信までの時間の差が一定以下か、２回目の送信から受信までの時間と３回目の送信から受信までの時間の差が一定以上の時は、ねらった波を捉えられなかったとして送受を中断し、一定時間後選択する基準電圧グループを変え最初から送受信をやり直すようにした超音波流量計。
【請求項８】送信側としても受信側としても働く超音波送受波器を少なくとも１対設け、流体の流れの中を上流から下流の順方向及び下流から上流の逆方向に超音波の送受信を行い、その各方向の到達時間より流量を求める超音波流量計で、かつ、各方向毎に先ず一方の送受波器を送信側として送信し、他方の受信側送受波器の信号を入力とする受信波検知部が受信波を検知すると再び送信側送受波器を駆動して送信し、これを複数回繰り返すように構成し、各方向毎に第１回目の送信から複数回目の受信までの時間を測定し、その結果から到達時間を求める超音波流量計において、
前記受信波検知部は、電圧が異なる４つの基準電圧として電圧の低い方より第１〜第４基準電圧を１グループとする基準電圧グループが複数用意されていて、そのうちの１グループを選択して使用するようにして、
各方向毎に繰り返す超音波の送受信において、
最初の受信は、上記選択した基準電圧グループの第１基準電圧に対し最初にその電圧を越えた波のゼロクロスポイントを受信波検知ポイントとし、
次の２回目の受信は、上記選択した基準電圧グループの第２基準電圧或いは第４基準電圧に対し最初にその電圧を越えた波のゼロクロスポイントを受信波検知ポイントとし、
その次の３回目の受信は、２回目の受信が、第２基準電圧の時は第４基準電圧、第４基準電圧の時は第２基準電圧に対し最初にその電圧を越えた波のゼロクロスポイントを受信波検知ポイントとし、
最初の送信から受信までの時間と、２回目の送信から受信までの時間の差が一定以上で、２回目の送信から受信までの時間と３回目の送信から受信までの時間の差が一定以下の時は、前記２回目、３回目の受信はねらった波を捉えたとし、
その後は、上記選択した基準電圧グループの第３基準電圧を最初に越える波のゼロクロスポイントを受信波検知ポイントとし、
２回目の送信、２回目の受信時に行う３回目の送信、或いは３回目の受信時に行う４回目の送信を第１回目の送信とみなすようにしたもので、
前記最初の送信から受信までの時間と、２回目の送信から受信までの時間の差が一定以下か、２回目の送信から受信までの時間と３回目の送信から受信までの時間の差が一定以上の時は、ねらった波を捉えられなかったとして選択する基準電圧グループを変え、ねらった波を捉えられなかったとした受信時に行う送信を最初の送信としてやり直すようにした超音波流量計。
【手続補正２】
【補正対象書類名】明細書
【補正対象項目名】００２２
【補正方法】変更
【補正の内容】
【００２２】
【課題を解決するための手段】
前記目的を達成するために、請求項１の発明は、送信側としても受信側としても働く超音波送受波器を少なくとも１対設け、流体の流れの中を上流から下流の順方向及び下流から上流の逆方向に超音波の送受信を行い、その各方向の到達時間より流量を求める超音波流量計で、かつ、各方向毎に先ず一方の送受波器を送信側として送信し、他方の受信側送受波器の信号を入力とする受信波検知部が受信波を検知すると再び送信側送受波器を駆動して送信し、これを複数回繰り返すように構成し、各方向毎に第１回目の送信から複数回目の受信までの時間を測定し、その結果から到達時間を求める超音波流量計において、
前記受信波検知部は、電圧が異なる２つの基準電圧を１グループとする基準電圧グループが複数用意されていて、そのうちの１グループを選択して使用するようにして、
各方向毎に繰り返す超音波の送受信において、
最初の受信は、上記選択した基準電圧グループの２つの基準電圧のうち一方の基準電圧に対し最初にその電圧を越えた波のゼロクロスポイントを受信波検知ポイントとし、
次の２回目の受信は、上記選択した基準電圧グループの２つの基準電圧のうち他方の基準電圧に対し最初にその電圧を越えた波のゼロクロスポイントを受信波検知ポイントとし、
最初の送信から受信までの時間と、次の２回目の送信から受信までの時間の差が一定以下の時にねらった波を捉えたとし、
その後は、前回の送信から受信検知までの時間から一定時間を減じた時間がその回の送信から経った時以降の最初のゼロクロスポイントを受信波検知ポイントとし、
最初の送信、最初の受信時に行う２回目の送信、或いは２回目の受信時に行う３回目の送信を第１回目の送信とみなすようにしたもので、
前記最初の送信から受信までの時間と、２回目の送信から受信までの時間の差が一定以上の時はねらった波を捉えられなかったとして送受信を中断し、一定時間後選択する基準電圧グループを変え最初から送受信をやり直すようにした超音波流量計である。
【手続補正３】
【補正対象書類名】明細書
【補正対象項目名】００３９
【補正方法】変更
【補正の内容】
【００３９】
請求項２の発明は、送信側としても受信側としても働く超音波送受波器を少なくとも１対設け、流体の流れの中を上流から下流の順方向及び下流から上流の逆方向に超音波の送受信を行い、その各方向の到達時間より流量を求める超音波流量計で、かつ、各方向毎に先ず一方の送受波器を送信側として送信し、他方の受信側送受波器の信号を入力とする受信波検知部が受信波を検知すると再び送信側送受波器を駆動して送信し、これを複数回繰り返すように構成し、各方向毎に第１回目の送信から複数回目の受信までの時間を測定し、その結果から到達時間を求める超音波流量計において、
前記受信波検知部は、電圧が異なる２つの基準電圧を１グループとする基準電圧グループが複数用意されていて、そのうちの１グループを選択して使用するようにして、
各方向毎に繰り返す超音波の送受信において、
最初の受信は、上記選択した基準電圧グループの２つの基準電圧のうち一方の基準電圧に対し最初にその電圧を越えた波のゼロクロスポイントを受信波検知ポイントとし、
次の２回目の受信は、上記選択した基準電圧グループの２つの基準電圧のうち他方の基準電圧に対し最初にその電圧を越えた波のゼロクロスポイントを受信波検知ポイントとし、
最初の送信から受信までの時間と、次の２回目の送信から受信までの時間の差が一定以下の時にねらった波を捉えたとし、
その後は、前回の送信から受信検知までの時間から一定時間を減じた時間がその回の送信から経った時以降の最初のゼロクロスポイントを受信波検知ポイントとし、
最初の送信、最初の受信時に行う２回目の送信、或いは２回目の受信時に行う３回目の送信を第１回目の送信とみなすようにしたもので、
前記最初の送信から受信までの時間と、次の送信から受信までの時間の差が一定以上の時はねらった波を捉えられなかったとして選択する基準電圧グループを変え、前記３回目の送信を最初の送信としてやり直すようにした超音波流量計である。
【手続補正４】
【補正対象書類名】明細書
【補正対象項目名】００４１
【補正方法】変更
【補正の内容】
【００４１】
請求項３の発明は、送信側としても受信側としても働く超音波送受波器を少なくとも１対設け、流体の流れの中を上流から下流の順方向及び下流から上流の逆方向に超音波の送受信を行い、その各方向の到達時間より流量を求める超音波流量計で、かつ、各方向毎に先ず一方の送受波器を送信側として送信し、他方の受信側送受波器の信号を入力とする受信波検知部が受信波を検知すると再び送信側送受波器を駆動して送信し、これを複数回繰り返すように構成し、各方向毎に第１回目の送信から複数回目の受信までの時間を測定し、その結果から到達時間を求める超音波流量計において、
前記受信波検知部は、電圧が異なる３つの基準電圧として電圧の低い方より第１〜第３基準電圧を１グループとする基準電圧グループが複数用意されていて、そのうちの１グループを選択して使用するようにして、
各方向毎に繰り返す超音波の送受信において、
最初の受信は、選択した基準電圧グループの第１基準電圧に対し最初にその電圧を越えた波のゼロクロスポイントを受信波検知ポイントとし、
次の２回目の受信は、上記選択した基準電圧グループの第２基準電圧或いは第３基準電圧に対し最初にその電圧を越えた波のゼロクロスポイントを受信波検知ポイントとし、
その次の３回目の受信は、第２の受信が、第２基準電圧の時は第３基準電圧、第３基準電圧の時は第２基準電圧に対し最初にその電圧を越えた波のゼロクロスポイントを受信波検知ポイントとし、
最初の送信から受信までの時間と、２回目の送信から受信までの時間の差が一定以上で、２回目の送信から受信までの時間と３回目の送信から受信までの時間の差が一定以下の時、前記３回目の受信はねらった波を捉えたとし、
その後は、前回の送信から受信検知までの時間から一定時間を減じた時間がその回の送信から経った時以降の最初のゼロクロスポイントを受信波検知ポイントとし、
最初の受信時に行う２回目の送信、２回目の受信時に行う３回目の送信或いは３回目の受信時に行う４回目の送信を第１回目の送信とみなすようにしたもので、
前記最初の送信から受信までの時間と、２回目の送信から受信までの時間の差が一定以下か、２回目の送信から受信までの時間と３回目の送信から受信までの時間の差が一定以上の時は、ねらった波を捉えられなかったとして送受信を中断し、一定時間後選択する基準電圧グループを変え最初からの送受信をやり直すようにした超音波流量計である。
【手続補正５】
【補正対象書類名】明細書
【補正対象項目名】００４５
【補正方法】変更
【補正の内容】
【００４５】
請求項４の発明は、送信側としても受信側としても働く超音波送受波器を少なくとも１対設け、流体の流れの中を上流から下流の順方向及び下流から上流の逆方向に超音波の送受信を行い、その各方向の到達時間より流量を求める超音波流量計で、かつ、各方向毎に先ず一方の送受波器を送信側として送信し、他方の受信側送受波器の信号を入力とする受信波検知部が受信波を検知すると再び送信側送受波器を駆動して送信し、これを複数回繰り返すように構成し、各方向毎に第１回目の送信から複数回目の受信までの時間を測定し、その結果から到達時間を求める超音波流量計において、
前記受信波検知部は、電圧が異なる３つの基準電圧として電圧の低い方より第１〜第３基準電圧を１グループとする基準電圧グループが複数用意されていて、そのうちの１グループを選択して使用するようにして、
各方向毎に繰り返す超音波の送受信において、
最初の受信は、選択した基準電圧グループの第１基準電圧に対し最初にその電圧を越えた波のゼロクロスポイントを受信波検知ポイントとし、
次の２回目の受信は、上記選択した基準電圧グループの第２基準電圧或いは第３基準電圧に対し最初にその電圧を越えた波のゼロクロスポイントを受信波検知ポイントとし、
その次の３回目の受信は、第２の受信が、第２基準電圧の時は第３基準電圧、第３基準電圧の時は第２基準電圧に対し最初にその電圧を越えた波のゼロクロスポイントを受信波検知ポイントとし、
最初の送信から受信までの時間と、２回目の送信から受信までの時間の差が一定以上で、２回目の送信から受信までの時間と３回目の送信から受信までの時間の差が一定以下の時、前記３回目の受信はねらった波を捉えたとし、
その後は、前回の送信から受信検知までの時間から一定時間を減じた時間がその回の送信から経った時以降の最初のゼロクロスポイントを受信波検知ポイントとし、
最初の受信時に行う２回目の送信、２回目の受信時に行う３回目の送信或いは３回目の受信時に行う４回目の送信を第１回目の送信とみなすようにしたもので、
前記最初の送信から受信までの時間と、２回目の送信から受信までの時間の差が一定以下か、２回目の送信から受信までの時間と３回目の送信から受信までの時間の差が一定以上の時は、ねらった波を捉えられなかったとして選択する基準電圧グループを変え、ねらった波を捉えられなかったとした受信時に行う送信を最初の送信としてやり直すようにした超音波流量計である。
【手続補正６】
【補正対象書類名】明細書
【補正対象項目名】００４７
【補正方法】変更
【補正の内容】
【００４７】
請求項５の発明は、送信側としても受信側としても働く超音波送受波器を少なくとも１対設け、流体の流れの中を上流から下流の順方向及び下流から上流の逆方向に超音波の送受信を行い、その各方向の到達時間より流量を求める超音波流量計で、かつ、各方向毎に先ず一方の送受波器を送信側として送信し、他方の受信側送受波器の信号を入力とする受信波検知部が受信波を検知すると再び送信側送受波器を駆動して送信し、これを複数回繰り返すように構成し、各方向毎に第１回目の送信から複数回目の受信までの時間を測定し、その結果から到達時間を求める超音波流量計において、
前記受信波検知部は、電圧が異なる３つの基準電圧を１グループとする基準電圧グループが複数用意されていて、そのうちの１グループを選択して使用するようにして、
各方向毎に繰り返す超音波の送受信において、
最初の受信は、上記選択した基準電圧グループの３つの基準電圧のうち最も低い電圧或いは最も高い電圧の基準電圧に対し最初にその電圧を越えた波のゼロクロスポイントを受信波検知ポイントとし、
次の受信は、上記選択した基準電圧グループの３つの基準電圧のうち最初の受信が最も高い電圧の基準電圧だった時は最も低い電圧の基準電圧、最初の受信が最も低い電圧の基準電圧だった時は最も高い電圧の基準電圧に対し最初にその電圧を越えた波のゼロクロスポイントを受信波検知ポイントとし、
最初の送信から受信までの時間と、次の２回目の送信から受信までの時間の差が一定以下の時はねらった波を捉えたとし、
その後は、上記選択した基準電圧グループの中間の電圧の基準電圧を最初に越える波のゼロクロスポイントを受信波検知ポイントとし、
最初の送信、最初の受信時に行う２回目の送信、或いは２回目の受信時に行う３回目の送信を第１回目の送信とみなすようにしたもので、
前記最初の送信から受信までの時間と、２回目の送信から受信までの時間の差が一定以上の時は、ねらった波を捉えられなかったとして送受信を中断し、一定時間後選択する基準電圧グループを変えて最初から送受信をやり直すようにした超音波流量計である。
【手続補正７】
【補正対象書類名】明細書
【補正対象項目名】００４８
【補正方法】変更
【補正の内容】
【００４８】
請求項６の発明は、送信側としても受信側としても働く超音波送受波器を少なくとも１対設け、流体の流れの中を上流から下流の順方向及び下流から上流の逆方向に超音波の送受信を行い、その各方向の到達時間より流量を求める超音波流量計で、かつ、各方向毎に先ず一方の送受波器を送信側として送信し、他方の受信側送受波器の信号を入力とする受信波検知部が受信波を検知すると再び送信側送受波器を駆動して送信し、これを複数回繰り返すように構成し、各方向毎に第１回目の送信から複数回目の受信までの時間を測定し、その結果から到達時間を求める超音波流量計において、
前記受信波検知部は、電圧が異なる３つの基準電圧を１グループとする基準電圧グループが複数用意されていて、そのうちの１グループを選択して使用するようにして、
各方向毎に繰り返す超音波の送受信において、
最初の受信は、上記選択した基準電圧グループの３つの基準電圧のうち最も低い電圧或いは最も高い電圧の基準電圧に対し最初にその電圧を越えた波のゼロクロスポイントを受信波検知ポイントとし、
次の受信は、上記選択した基準電圧グループの３つの基準電圧のうち最初の受信が最も高い電圧の基準電圧だった時は最も低い電圧の基準電圧、最初の受信が最も低い電圧の基準電圧だった時は最も高い電圧の基準電圧に対し最初にその電圧を越えた波のゼロクロスポイントを受信波検知ポイントとし、
最初の送信から受信までの時間と、次の２回目の送信から受信までの時間の差が一定以下の時はねらった波を捉えたとし、
その後は上記選択した基準電圧グループの中間の電圧の基準電圧を最初に越える波のゼロクロスポイントを受信波検知ポイントとし、
最初の送信、最初の受信時に行う２回目の送信、或いは２回目の受信時に行う３回目の送信を第１回目の送信とみなすようにしたもので、
前記最初の送信から受信までの時間と、次の送信から受信までの時間の差が一定以上の時は、ねらった波を捉えられなかったとして選択する基準電圧グループを変え、前記３回目の送信を最初の送信としてやり直すようにした超音波流量計である。
【手続補正８】
【補正対象書類名】明細書
【補正対象項目名】００４９
【補正方法】変更
【補正の内容】
【００４９】
請求項７の発明は、送信側としても受信側としても働く超音波送受波器を少なくとも１対設け、流体の流れの中を上流から下流の順方向及び下流から上流の逆方向に超音波の送受信を行い、その各方向の到達時間より流量を求める超音波流量計で、かつ、各方向毎に先ず一方の送受波器を送信側として送信し、他方の受信側送受波器の信号を入力とする受信波検知部が受信波を検知すると再び送信側送受波器を駆動して送信し、これを複数回繰り返すように構成し、各方向毎に第１回目の送信から複数回目の受信までの時間を測定し、その結果から到達時間を求める超音波流量計において、
前記受信波検知部は、電圧が異なる４つの基準電圧として電圧の低い方より第１〜第４基準電圧を１グループとする基準電圧グループが複数用意されていて、そのうちの１グループを選択して使用するようにして、
各方向毎に繰り返す超音波の送受信において、
最初の受信は、上記選択した基準電圧グループの第１基準電圧に対し最初にその電圧を越えた波のゼロクロスポイントを受信波検知ポイントとし、
次の２回目の受信は、上記選択した基準電圧グループの第２基準電圧或いは第４基準電圧に対し最初にその電圧を越えた波のゼロクロスポイントを受信波検知ポイントとし、
その次の３回目の受信は、２回目の受信が、第２基準電圧の時は第４基準電圧、第４基準電圧の時は第２基準電圧に対し最初にその電圧を越えた波のゼロクロスポイントを受信波検知ポイントとし、
最初の送信から受信までの時間と、２回目の送信から受信までの時間の差が一定以上で、２回目の送信から受信までの時間と３回目の送信から受信までの時間の差が一定以下の時は、前記２回目、３回目の受信はねらった波を捉えたとし、その後は、上記選択した基準電圧グループの第３基準電圧を最初に越える波のゼロクロスポイントを受信波検知ポイントとし、
２回目の送信、２回目の受信時に行う３回目の送信、或いは３回目の受信時に行う４回目の送信を第１回目の送信とみなすようにしたもので、
前記最初の送信から受信までの時間と、２回目の送信から受信までの時間の差が一定以下か、２回目の送信から受信までの時間と３回目の送信から受信までの時間の差が一定以上の時は、ねらった波を捉えられなかったとして送受を中断し、一定時間後選択する基準電圧グループを変え最初から送受信をやり直すようにした超音波流量計である。
【手続補正９】
【補正対象書類名】明細書
【補正対象項目名】００５０
【補正方法】変更
【補正の内容】
【００５０】
請求項８の発明は、送信側としても受信側としても働く超音波送受波器を少なくとも１対設け、流体の流れの中を上流から下流の順方向及び下流から上流の逆方向に超音波の送受信を行い、その各方向の到達時間より流量を求める超音波流量計で、かつ、各方向毎に先ず一方の送受波器を送信側として送信し、他方の受信側送受波器の信号を入力とする受信波検知部が受信波を検知すると再び送信側送受波器を駆動して送信し、これを複数回繰り返すように構成し、各方向毎に第１回目の送信から複数回目の受信までの時間を測定し、その結果から到達時間を求める超音波流量計において、
前記受信波検知部は、電圧が異なる４つの基準電圧として電圧の低い方より第１〜第４基準電圧を１グループとする基準電圧グループが複数用意されていて、そのうちの１グループを選択して使用するようにして、
各方向毎に繰り返す超音波の送受信において、
最初の受信は、上記選択した基準電圧グループの第１基準電圧に対し最初にその電圧を越えた波のゼロクロスポイントを受信波検知ポイントとし、
次の２回目の受信は、上記選択した基準電圧グループの第２基準電圧或いは第４基準電圧に対し最初にその電圧を越えた波のゼロクロスポイントを受信波検知ポイントとし、
その次の３回目の受信は、２回目の受信が、第２基準電圧の時は第４基準電圧、第４基準電圧の時は第２基準電圧に対し最初にその電圧を越えた波のゼロクロスポイントを受信波検知ポイントとし、
最初の送信から受信までの時間と、２回目の送信から受信までの時間の差が一定以上で、２回目の送信から受信までの時間と３回目の送信から受信までの時間の差が一定以下の時は、前記２回目、３回目の受信はねらった波を捉えたとし、その後は、上記選択した基準電圧グループの第３基準電圧を最初に越える波のゼロクロスポイントを受信波検知ポイントとし、
２回目の送信、２回目の受信時に行う３回目の送信、或いは３回目の受信時に行う４回目の送信を第１回目の送信とみなすようにしたもので、
前記最初の送信から受信までの時間と、２回目の送信から受信までの時間の差が一定以下か、２回目の送信から受信までの時間と３回目の送信から受信までの時間の差が一定以上の時は、ねらった波を捉えられなかったとして選択する基準電圧グループを変え、ねらった波を捉えられなかったとした受信時に行う送信を最初の送信としてやり直すようにした超音波流量計である。